【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
生体内に導入可能なカプセル型筐体を有し、前記生体内の部位に薬剤を導入するカプセル型医療装置において、
前記カプセル型筐体と前記薬剤とを連結し、前記生体内の組織に対して接触可能に前記薬剤を保持する連結部材と、
前記生体内における前記薬剤の変化を検出する検出手段と、
を備えたことを特徴とするカプセル型医療装置。
【請求項２】
前記連結部材は、糸状部材であることを特徴とする請求項１に記載のカプセル型医療装置。
【請求項３】
前記連結部材は、棒状部材であることを特徴とする請求項１に記載のカプセル型医療装置。
【請求項４】
前記連結部材の一方の端は、前記カプセル型筐体に着設されていることを特徴とする請求項１〜３のいずれか一つに記載のカプセル型医療装置。
【請求項５】
前記連結部材の一方の端は、前記カプセル型筐体に着脱可能に取り付けられていることを特徴とする請求項１〜３のいずれか一つに記載のカプセル型医療装置。
【請求項６】
前記検出手段は、前記カプセル型筐体に対して前記薬剤が配設された側の領域を撮像する撮像部を含むことを特徴とする請求項１〜５のいずれか一つに記載のカプセル型医療装置。
【請求項７】
前記薬剤が変化した際に該薬剤が位置する前記生体内での部位を示す部位情報を検出する部位検出手段を備えたことを特徴とする請求項１〜５のいずれか一つに記載のカプセル型医療装置。
【請求項８】
前記部位検出手段は、前記カプセル型筐体に対して前記薬剤が配設された側の領域を撮像する撮像部を含み、
前記部位情報は、前記撮像部により生成された画像情報であることを特徴とする請求項７に記載のカプセル型医療装置。
【請求項９】
前記部位検出手段は、前記生体内部のｐＨを検出するｐＨセンサであることを特徴とする請求項７に記載のカプセル型医療装置。
【手続補正２】
【補正対象書類名】明細書
【補正対象項目名】０００８
【補正方法】変更
【補正の内容】
【０００８】
上述した課題を解決し、目的を達成するために、本発明にかかるカプセル型医療装置は、生体内に導入可能なカプセル型筐体を有し、前記生体内の部位に薬剤を導入するカプセル型医療装置において、前記カプセル型筐体と前記薬剤とを連結し、前記生体内の組織に対して接触可能に前記薬剤を保持する連結部材と、前記生体内における前記薬剤の変化を検出する検出手段と、を備えたことを特徴とする。
【手続補正３】
【補正対象書類名】明細書
【補正対象項目名】０００９
【補正方法】変更
【補正の内容】
【０００９】
また、本発明にかかるカプセル型医療装置は、上記の発明において、前記連結部材が、糸状部材であることを特徴とする。
【手続補正４】
【補正対象書類名】明細書
【補正対象項目名】００１０
【補正方法】変更
【補正の内容】
【００１０】
また、本発明にかかるカプセル型医療装置は、上記の発明において、前記連結部材が、棒状部材であることを特徴とする。
【手続補正５】
【補正対象書類名】明細書
【補正対象項目名】００１１
【補正方法】変更
【補正の内容】
【００１１】
また、本発明にかかるカプセル型医療装置は、上記の発明において、前記連結部材の一方の端が、前記カプセル型筐体に着設されていることを特徴とする。
【手続補正６】
【補正対象書類名】明細書
【補正対象項目名】００１２
【補正方法】変更
【補正の内容】
【００１２】
また、本発明にかかるカプセル型医療装置は、上記の発明において、前記連結部材の一方の端が、前記カプセル型筐体に着脱可能に取り付けられていることを特徴とする。
【手続補正７】
【補正対象書類名】明細書
【補正対象項目名】００１３
【補正方法】変更
【補正の内容】
【００１３】
また、本発明にかかるカプセル型医療装置は、上記の発明において、前記検出手段が、前記カプセル型筐体に対して前記薬剤が配設された側の領域を撮像する撮像部を含むことを特徴とする。
【手続補正８】
【補正対象書類名】明細書
【補正対象項目名】００１４
【補正方法】変更
【補正の内容】
【００１４】
また、本発明にかかるカプセル型医療装置は、上記の発明において、前記薬剤が変化した際に該薬剤が位置する前記生体内での部位を示す部位情報を検出する部位検出手段を備えたことを特徴とする。
【手続補正９】
【補正対象書類名】明細書
【補正対象項目名】００１５
【補正方法】変更
【補正の内容】
【００１５】
また、本発明にかかるカプセル型医療装置は、上記の発明において、前記部位検出手段が、前記カプセル型筐体に対して前記薬剤が配設された側の領域を撮像する撮像部を含み、前記部位情報が、前記撮像部により生成された画像情報であることを特徴とする。
【手続補正１０】
【補正対象書類名】明細書
【補正対象項目名】００１６
【補正方法】変更
【補正の内容】
【００１６】
また、本発明にかかるカプセル型医療装置は、上記の発明において、前記部位検出手段が、前記生体内部のｐＨを検出するｐＨセンサであることを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】